(57)【特許請求の範囲】
【請求項１】
足場の横地に係止されるつかみ金具と外れ止め金具をそれぞれ有する床付き布枠において、外れ止め金具は支持枠とこの支持枠に支持された落下錠とで構成され、支持枠と落下錠の双方に支持ピンと案内孔がそれぞれ設けられ、支持枠の支持ピンが落下錠の案内孔に、落下錠の支持ピンが支持枠の案内孔にそれぞれ係合され、落下錠は案内孔と支持ピンにガイドされて横地の下側に突出するように構成されていることを特徴とする床付き布枠。
【請求項２】
支持枠と落下錠はともに平板状に形成されていることを特徴とする請求項１記載の床付き布枠。
【請求項３】
支持枠は断面略溝形状に、落下錠は平板状にそれぞれ形成されていることを特徴とする請求項１記載の床付き布枠。
【請求項４】
落下錠は支持枠に収納できるように支持されていることを特徴とする請求項１、２または３記載の床付き布枠。
【請求項５】
落下錠は横地の上に仮置きできるように支持されていることを特徴とする請求項１、２、３または４記載の床付き布枠。
【発明の詳細な説明】
【０００１】
【発明の属する技術分野】
この発明は、主に建築・土木などの工事現場で作業床や作業員の通路などとして構築される仮設足場の足場板として使用される床付き布枠に関する。
【０００２】
【従来の技術】
建設現場などで作業床や作業員の通路などとして構築される仮設足場として、例えば図５に図示するように鋼管からなる複数本の建地３０を桁行き方向に所定間隔おきに、また、２本の建地３０をはり間方向に所定間隔をおいてそれぞれ建て付け、かつ桁行き方向に隣接する各建地３０，３０間には鋼管からなる布地３１を、はり間方向に隣接する２本の建地３０，３０間には鋼管からなる横地３２をそれぞれ架け渡し、さらに各横地３２間に足場板３３をそれぞれ架け渡して構築される鋼管足場が知られている。
【０００３】
また、この種の鋼管足場で使用される足場板としては、例えば図６と図７に図示するような床付き布枠３４が知られ、一般に平行に伸びる２本の布材３５の両端部を梁材３６で連結して細長い平面長方形状の布枠（図省略）を形成し、この布枠に床板３７を取り付け、さらに長手方向の両端部に横地３２に係止されるつかみ金具３８と横地３２の下方に大きく突出する外れ止め３９をそれぞれ取り付けて構成されている。
【０００４】
つかみ金具３８は、例えば図７（ａ），（ｂ）に図示するように折り曲げ加工などによる補強は特にされず、単に一枚の鋼板で平板状に形成され、側面部にリベット等による支持ピン４０が２個突設されている。
【０００５】
一方、外れ止め３９は、つかみ金具３８と同様につかみ金具３８より薄めの１枚鋼板で平板状に形成され、１個または２個の案内孔４１が形成されている。そして、２個の支持ピン４０が案内孔４１に係合されていることで、外れ止め３９はつかみ金具３８の側面を自由に上下移動し、かつ横地３２の下方に大きく突出することによりつかみ金具３８が横地３２から外れないようになっている。
【０００６】
また特に、つかみ金具３８と外れ止め３９がともに、例えば図８（ａ）〜（ｃ）に図示するように溝形状（ボックス状）に折り曲げて補強されている場合もある。
【０００７】
ところで、こうして構成された床付き布枠を運搬したり、あるいは現地のストックヤード等に収納しておいたりするには、例えば図９（ａ），（ｂ）に図示するように、数段に積み重ね、バンドルとよばれる結束材で数枚ごとに束ねられている。
【０００８】
【発明が解決しようとする課題】
しかし、外れ止め３９は、図示するようにつかみ金具３８より突出して他方のつかみ金具にあたるため、積み重ねによっては例えば図９（ａ）に図示するように横ずれ、荷くずれをおこす要因になっていた。
【０００９】
特に、つかみ金具３８と外れ止め３９が溝形状（ボックス状）に折り曲げて形成されている場合には、積み重ねた当初から床付き布枠はかなり横ずれした状態にあるため、さらに荷くずれをおこす要因になっていた。
【００１０】
また、１個の案内孔４１に２本の支持ピン４０が挿入され、この２本の支持ピン４０でガイドされ、案内孔４１の長さの範囲で外れ止め３９がつかみ金具３８の側面を上下移動する構成になっているので、外れ止め３９を横地３２の下方に可能な限り大きく突出させてつかみ金具３８が横地３２から外れないようにするには、案内孔４１を長くすることから外れ止め３９を大きくする必要があり、これに伴ってつかみ金具３８など、他の部材も大きくする必要があるため、積み重ねたときの荷が嵩んで荷くずれを起こしやすいだけでなく、運搬費および材料費が嵩んで制作コストが嵩む等の課題もあった。
【００１１】
この発明は、以上の課題を解決するためになされたもので、特に運搬時などに際して、安定性が高く、荷くずれを起こしにくい床付き布枠を提供することを課題とする。
【００１２】
【課題を解決するための手段】
以上の課題を解決するための手段として、この発明に係る床付き布枠は、請求項１として、足場の横地に係止されるつかみ金具と外れ止め金具をそれぞれ設け、外れ止め金具は支持枠とこの支持枠に支持された落下錠とで構成し、支持枠と落下錠の双方に支持ピンと案内孔をそれぞれ設け、かつ支持枠の支持ピンを落下錠の案内孔に、落下錠の支持ピンを支持枠の案内孔にそれぞれ係合し、落下錠が案内孔と支持ピンにガイドされて横地の下側に突出するように構成する。
【００１３】
請求項２として、請求項１の床付き布枠において、支持枠と落下錠をそれぞれ平板状に形成する。
【００１４】
請求項３として、請求項１の床付き布枠において、支持枠を断面略溝形状に、落下錠を平板状にそれぞれ形成する。
【００１５】
請求項４として、請求項１、２または３の床付き布枠において、落下錠を支持枠に収納できるように取り付ける。
【００１６】
請求項５として、請求項１、２、３または４の床付き布枠において、落下錠を横地の上に仮置きできるように取り付ける。
【００１７】
【発明の実施の形態】
図１〜図４は、この発明に係る床付き布枠の一例を示し、図１において、床付き布枠１は布枠２の上に床板３を、長手方向の両端部につかみ金具４と外れ止め金具５をそれぞれ有して横長の平面長方形板状に構成されている。
【００１８】
また、このように構成された床付き布枠１は、例えば図５に図示するような鋼管足場枠の横地３２（以下「横地６」という）に両端のつかみ金具４をそれぞれ引っかけて各横地６，６間に架け渡されている。
【００１９】
布枠２は平行に延びる２本の布材７の両端部間に梁材８をそれぞれ架け渡し、かつ布材７，７の中間部間に横中桟１０を、また梁材８，８の中間部間には必要に応じて縦中桟９をそれぞれ架け渡して平面矩形格子状に形成されている。なお、縦中桟９は布枠２の横幅が大きい場合（５００ｍｍ程度）に取り付けられている。
【００２０】
布材７と縦中桟９はそれぞれ、床板３の幅方向の縁端部を下側に折り曲げて断面略Ｌ字状に形成されている。また、横中残１０は断面略Ｌ字状に形成され、両側の布材７と縦中桟９間にそれぞれ架け渡されている。
【００２１】
梁材８は布枠２の内側に真横に開口する断面略溝状に形成され、両側の布材７とその間の縦中桟９との端部間にそれぞれ連続して架け渡されている。
【００２２】
また、梁材８の縁端部には、梁材８と横地６間の隙間Ａを塞ぐための塞ぎ部１１が突設されている。塞ぎ部１１は、図示するように例えば梁材８の縁端部８ａを曲げ加工する等して横地６の上側に突出させ、横地６の上に重なるようにたっている。
【００２３】
床板３は幅方向の両縁端部に前述するような布材７と縦中桟９を、その間に長手方向に連続する複数の補強リブ３ａをそれぞれ有し、かつ全体に補強と滑り止めを主な目的とするエンボス加工（凹凸加工）が施されている。
【００２４】
つかみ金具４は、係合可能なＵ字状の係合溝４ａを先端部に有し、鋳造または鍛造によって、あるいは単に１枚鋼板などから平板状に形成され、かつ布材７の長手方向の両端部（布枠２の各コーナ部）に取り付けられている。
【００２５】
外れ止め金具５は、例えば図２と図３に図示するように支持枠１２とこの支持枠１２に支持されている落下錠１３とで構成され、支持枠１２は断面略溝形状（ボックス形状）に形成され、梁材８の内側に取り付けられている。
【００２６】
また、落下錠１３は横地６の円周方向に細長い略三日月形の板状に形成され、支持枠１２の左右フランジ１２ａ，１２ａ間に案内孔１４を貫通する上側支持ピン１５と案内孔１６を貫通する下側支持ピン１７とによって支持され、先端部分１３ａが梁材８の側部に形成されたスリット１８から横地６の斜め下側に向かって突出している。
【００２７】
上側支持ピン１５は支持枠１２に、下側支持ピン１７は落下錠１３にそれぞれ突設され、また案内孔１４は落下錠１３に、案内孔１６は支持枠１２の左右フランジ１２ａ，１２ａにそれぞれ形成されている。
【００２８】
また、案内孔１４は下側支持ピン１７の略斜め上方に上下方向に細長い長孔状に、また案内孔１６は上側支持ピン１５の下側に落下錠１３の長手方向に細長い長孔状にそれぞれ形成されている。
【００２９】
さらに、案内孔１６の上端部には案内孔１６の軸直角方向に細長い案内孔１９が案内孔１６と連続して形成されている。なお、上側支持ピン１５と下側支持ピン１７は、例えばリベット等で形成されている。
【００３０】
このように構成されていることで、図２（ａ）に図示するように落下錠１３は、案内孔１４と上側支持ピン１５および案内孔１６と下側支持ピン１７とによってガイドされて、横地６の円周方向に一定範囲（案内孔１４および１６の長さの範囲）移動し、梁材８のスリット１８から横地６の下側に大きく突出できるようになっている。
【００３１】
また特に、落下錠１３は支持枠１２に、１個の案内孔に１個の支持ピンをそれぞれ挿入して支持されているので、案内孔が短くても落下錠の移動距離を孔一杯に確保することができる。
【００３２】
これにより、床付き布枠１が横地６，６間に架け渡されている間、落下錠１３を横地６の下側に大きく突出させることで、つかみ金具４は横地６から外れることはない。
【００３３】
また、落下錠１３は支持枠１２内、すなわち梁材８内に押し込んで収納できるように支持されているので、落下錠１３の先端部分１３ａがスリット１８からわずかに突出している状態で床付き布枠１の端部を軽く押し上げることにより、押し上げた側のつかみ金具４は横地６から簡単に外れる。
【００３４】
さらに、図２（ｂ）に図示するように、落下錠１３は上側支持ピン１５を軸に横地６側に一定範囲（案内孔１９の長さの範囲）回転することにより、先端部分１３ａがスリット１８から横地６の上側に大きく突出できるようになっている。
【００３５】
これにより、つかみ金具４が横地６から外されている側の落下錠１３を、その先端部分１３ａをスリット１８からわずかに突出させた状態で、上側支持ピン１５を軸に横地６側に回転させて梁材８の上に大きく引き出し、横地６の上に仮置き（あずけ置き）できるので、床付き布枠１を特に手で支えなくても反対側のつかみ金具４を軽く上に押し上げるだけで、つかみ金具４を横地６から簡単に外すことができる。よって、床付き布枠１の取り外しも簡単にできる。
【００３６】
また、床付き布枠を運搬したり、あるいは現地のストックヤード等に収納するために、数段に積み重ねる場合、落下錠１３を横ずれ防止用のガイドにして数段に積み重ねても、落下錠１３は１枚鋼板で形成されているので、横ずれは少なく、荷くずれを防止できる。
【００３７】
なお、図４（ａ）〜（ｅ）は支持枠の他の例を示し、また、図４（ｆ）〜（ｊ）は落下錠１３の他の例を示し、いずれも支持ピンと案内孔の形状、位置などが異なっている。
【００３８】
【発明の効果】
この発明は以上説明した通りであり、特に外れ止め金具の支持枠と落下錠の双方に支持ピンと案内孔がそれぞれ設けられ、支持枠の支持ピンが落下錠の案内孔に、落下錠の支持ピンが支持枠の案内孔にそれぞれ係合され、この案内孔と支持ピンにガイドされて落下錠が横地の下側に突出するように構成されているので、案内孔が短くても落下錠の移動距離を孔一杯に確保することができる。
【００３９】
このため、床付き布枠が横地に架け渡されている間、落下錠を横地の下方に大きく突出させることで、つかみ金具４が横地から外れるのを確実に防止できる。
【００４０】
また、案内孔が短くても落下錠の移動距離を孔一杯に確保することができるため、落下錠を小さくすることができ、これに伴って梁材などの他の部材も小さくすることができる。したがって、全体的にも小さく（薄く）できるため、運搬などに際して数段に積み重ねても荷が嵩ばらず、荷くずれを起こしにくい。
【図面の簡単な説明】
【図１】この発明に係る床付き布枠の一例を示し、（ａ）はその一部破断平面図、（ｂ）は端部側面図である。
【図２】この発明に係る床付き布枠の一例を示し、（ａ），（ｂ）はその端部縦断面図、（ｃ）は（ｂ）におけるイ−イ線断面図、（ｄ）は支持枠の側面図、（ｅ）は落下錠の側面図である。
【図３】この発明に係る床付き布枠の一例を示し、複数の床付き布枠を重ねた状態を示す縦断面図である。
【図４】（ａ）〜（ｅ）は支持枠の他の例を示す側面図、（ｆ）〜（ｊ）はは落下錠の他の例を示す側面図である。
【図５】鋼管足場の一例を示す一部斜視図である。
【図６】従来の床付き布枠の一例を示し、（ａ）その一部平面図、（ｂ）その一部拡大平面図である。
【図７】従来の床付き布枠の一例を示し、（ａ）その一部側面図、（ｂ）その一部端面図である。
【図８】従来の床付き布枠の一例を示し、（ａ）その一部平面図、（ｂ）その一部側面図、（ｃ）その一部端面図である。
【図９】（ａ）（ｂ）は従来の床付き布枠を数段に積み重ねた状態を示す端面図である。
【符号の説明】
１  床付き布枠
２  布枠
３  床板
４  つかみ金具
５  外れ止め金具
６  横地
７  布材
８  梁材
９  縦中桟
１０  横中桟
１１  塞ぎ部
１２  支持枠
１３  落下錠
１４  案内孔
１５  上側支持ピン
１６  案内孔
１７  下側支持ピン
１８  スリット
１９  案内孔
【図１】
0003966672.tif 000002
【図２】
0003966672.tif 000003
【図３】
0003966672.tif 000004
【図４】
0003966672.tif 000005
【図５】
0003966672.tif 000006
【図６】
0003966672.tif 000007
【図７】
0003966672.tif 000008
【図８】
0003966672.tif 000009
【図９】
0003966672.tif 000010